(57)【要約】【課題】  アドレス帳に宛先情報を登録する際に、相手先から取得する宛先情報と、送信するデータの宛先情報とが一致しない場合でも、誤った宛先情報を登録してしまうことを防止する。【解決手段】    データの送受信を行う情報処理装置において、送信したデータの送信履歴を第１の記憶手段と、送信したデータの宛先履歴として前記送信先から取得する宛先情報または送信したデータの宛先情報を第２の記憶手段と、第２の記憶手段に記憶する宛先情報が前記送信先から取得する宛先情報である場合、送信したデータの宛先情報を第３の記憶手段とを備え、表示手段に表示する宛先履歴を表示する際、第２の記憶手段に記憶する宛先情報が前記送信先から取得する宛先情報であると判断した場合、第３の記憶手段に記憶された宛先情報を前記表示手段に表示するように制御することを特徴とする。【選択図】  図７
2018011174.tif 000002
【特許請求の範囲】
【請求項１】
データの送受信を行う情報処理装置であって、
前記データの送信先を特定する宛先情報をアドレス帳に登録する登録手段と、
送信したデータの送信履歴を記憶する第１の記憶手段と、
送信したデータの宛先履歴として前記送信先から取得する宛先情報または送信したデータの宛先情報を記憶する第２の記憶手段と、
前記第２の記憶手段に記憶する宛先情報が前記送信先から取得する宛先情報であるかを判断する判断手段と、
前記判断手段が前記宛先情報は前記送信先から取得する宛先情報であると判断した場合、送信したデータの宛先情報を記憶する第３の記憶手段と、
前記登録手段が前記アドレス帳に登録する宛先情報を選択するための宛先履歴を表示手段に表示する制御手段と、を備え、
前記制御手段が前記表示手段に表示する宛先履歴を表示する際、前記第２の記憶手段に記憶する宛先情報が前記送信先から取得する宛先情報である場合、前記第３の記憶手段に記憶された宛先情報を前記表示手段に表示するように制御することを特徴とする情報処理装置。
【請求項２】
前記制御手段が前記表示手段に表示する宛先履歴を表示する際、前記第２の記憶手段に記憶する宛先情報が前記送信先から取得する宛先情報でない場合、前記第１の記憶手段に記憶された送信履歴で特定される宛先情報を前記表示手段に表示するように制御することを特徴とする請求項１に記載の情報処理装置。
【請求項３】
前記第１の記憶手段に記憶された宛先情報と、前記第３の記憶手段に記憶された宛先情報とから前記表示手段に表示する宛先情報を生成する生成手段を備え、
前記制御手段が前記表示手段に表示する宛先履歴を表示する際、前記第２の記憶手段に記憶する宛先情報が前記送信先から取得する宛先情報である場合、前記生成手段が生成したされた宛先情報を前記表示手段に表示するように制御することを特徴とする請求項１または２に記載の情報処理装置。
【請求項４】
前記生成手段は、第１の記憶手段に記憶されたいずれかの宛先情報と、前記第３の記憶手段に記憶されたいずれかの宛先情報とが重複する場合、重複しない宛先情報を生成することを特徴とする請求項３に記載の情報処理装置。
【請求項５】
前記登録手段は、前記表示手段に表示される宛先情報の一覧から選択される宛先情報を前記アドレス帳に登録することを特徴とする請求項１〜４のいずれか１項に記載の情報処理装置。
【請求項６】
データの送受信を行う情報処理装置であって、
前記データの送信先を特定する宛先情報をアドレス帳に登録する登録手段と、
送信したデータの送信履歴を記憶する第１の記憶手段と、
送信したデータの宛先履歴として前記送信先から取得する宛先情報または送信したデータの宛先情報を記憶する第２の記憶手段と、
前記第２の記憶手段に記憶する宛先情報が前記送信先から取得する宛先情報であるかを判断する判断手段と、
前記登録手段が前記アドレス帳に登録する宛先情報を選択するための宛先履歴を表示手段に表示する制御手段と、を備え、
前記制御手段が前記表示手段に表示する宛先履歴を表示する際、前記第２の記憶手段に記憶する宛先情報が前記送信先から取得する宛先情報である場合、その旨を前記表示手段に表示することを特徴とする情報処理装置。
【請求項７】
データの送受信を行う情報処理装置の制御方法であって、
前記データの送信先を特定する宛先情報をアドレス帳に登録する登録工程と、
送信したデータの送信履歴を第１の記憶手段に記憶する第１の記憶工程と、
送信したデータの宛先履歴として前記送信先から取得する宛先情報または送信したデータの宛先情報を第２の記憶手段に記憶する第２の記憶工程と、
前記第２の記憶手段に記憶する宛先情報が前記送信先から取得する宛先情報であるかを判断する判断工程と、
前記判断工程が前記宛先情報は前記送信先から取得する宛先情報であると判断した場合、送信したデータの宛先情報を第３の記憶手段に記憶する第３の記憶工程と、
前記登録工程が前記アドレス帳に登録する宛先情報を選択するための宛先履歴を表示手段に表示する制御工程と、を備え、
前記制御工程が前記表示手段に表示する宛先履歴を表示する際、前記第２の記憶手段に記憶する宛先情報が前記送信先から取得する宛先情報である場合、前記第３の記憶手段に記憶された宛先情報を前記表示手段に表示するように制御することを特徴とする情報処理装置の制御方法。
【請求項８】
データの送受信を行う情報処理装置の制御方法であって、
前記データの送信先を特定する宛先情報をアドレス帳に登録する登録工程と、
送信したデータの送信履歴を第１の記憶手段に記憶する第１の記憶工程と、
送信したデータの宛先履歴として前記送信先から取得する宛先情報または送信したデータの宛先情報を第２の記憶手段に記憶する第２の記憶工程と、
前記第２の記憶手段に記憶する宛先情報が前記送信先から取得する宛先情報であるかを判断する判断工程と、
前記登録工程で前記アドレス帳に登録される宛先情報を選択するための宛先履歴を表示手段に表示する制御工程と、を備え、
前記制御工程では、前記表示手段に表示する宛先履歴を表示する際、前記第２の記憶手段に記憶する宛先情報が前記送信先から取得する宛先情報である場合、その旨を前記表示手段に表示することを特徴とする情報処理装置の制御方法。
【請求項９】
請求項７または８に記載の情報処理装置の制御方法をコンピュータに実行させることを特徴とするプログラム。
【発明の詳細な説明】
【技術分野】
【０００１】
本発明は、情報処理装置、情報処理装置の制御方法、及びプログラムに関するものである。
【背景技術】
【０００２】
従来の電子メール、ファクス、ファイル送信を行う情報処理装置には、アドレス帳に宛先を設定するために、送信履歴の宛先データをアドレス帳に登録可能にしているものがある（特許文献1参照）。また、ファクスの送信履歴の場合、宛先にＣＳＩ（発信元ファクシミリ番号）を残すことがある（特許文献2参照）。
【先行技術文献】
【特許文献】
【０００３】
【特許文献１】特開2013―106103号公報
【特許文献２】特開2001―77997号公報
【発明の概要】
【発明が解決しようとする課題】
【０００４】
しかしながら、ＣＳＩは相手機に登録されているファクス番号であるため、送信宛先で指定したファクス番号と異なる場合がある。その際、ＣＳＩをファクスの送信履歴の宛先に残し、その送信履歴の宛先をアドレス帳に登録してしまうと誤送信につながる可能性がある。
【０００５】
本発明は、上記の課題を解決するためになされたものである。本発明の目的は、アドレス帳に宛先情報を登録する際に、相手先から取得する宛先情報と、送信するデータの宛先情報とが一致しない場合でも、誤った宛先情報を登録してしまうことを防止できる仕組みを提供することである。
【課題を解決するための手段】
【０００６】
上記目的を達成する本発明の情報処理装置は以下に示す構成を備える。
データの送受信を行う情報処理装置であって、前記データの送信先を特定する宛先情報をアドレス帳に登録する登録手段と、送信したデータの送信履歴を記憶する第１の記憶手段と、送信したデータの宛先履歴として前記送信先から取得する宛先情報または送信したデータの宛先情報を記憶する第２の記憶手段と、前記第２の記憶手段に記憶する宛先情報が前記送信先から取得する宛先情報であるかを判断する判断手段と、前記判断手段が前記宛先情報は前記送信先から取得する宛先情報であると判断した場合、送信したデータの宛先情報を記憶する第３の記憶手段と、前記登録手段が前記アドレス帳に登録する宛先情報を選択するための宛先履歴を表示手段に表示する制御手段と、を備え、前記制御手段が前記表示手段に表示する宛先履歴を表示する際、前記第２の記憶手段に記憶する宛先情報が前記送信先から取得する宛先情報である場合、前記第３の記憶手段に記憶された宛先情報を前記表示手段に表示するように制御することを特徴とする。
【発明の効果】
【０００７】
本発明によれば、アドレス帳に宛先情報を登録する際に、相手先から取得する宛先情報と、送信するデータの宛先情報とが一致しない場合でも、誤った宛先情報を登録してしまうことを防止できる。
【図面の簡単な説明】
【０００８】
【図１】ネットワークシステムを示すブロック図である。
【図２】図１に示したＭＦＰの構成を示すブロック図である。
【図３】図２に示した操作部を示す外観図である。
【図４】アドレス帳登録に関する操作画面の推移を示す図である。
【図５】画像送信装置の制御方法を示すフローチャートである。
【図６】画像送信装置の制御方法を示すフローチャートである。
【図７】画像送信装置の制御方法を示すフローチャートである。
【図８】画像送信装置の制御方法を示すフローチャートである。
【図９】ストレージに保存される宛先履歴データを示す図である。
【図１０】操作部に表示されるＵＩ画面を示す図である。
【図１１】画像送信装置の制御方法を示すフローチャートである。
【図１２】操作部に表示されるＵＩ画面を示す図である。
【発明を実施するための形態】
【０００９】
次に本発明を実施するための最良の形態について図面を参照して説明する。
＜システム構成の説明＞
〔第１実施形態〕
【００１０】
本形態では、画像処理装置として、プリントやスキャン、ＦＡＸ機能を有する複合機（ＭＦＰ:Multi Function Peripheral）を例に説明する。なお、以下の実施の形態は特許請求の範囲に係る発明を限定するものでなく、また実施の形態で説明されている特徴の組み合わせの全てが発明の解決手段に必須のものとは限らない。
【００１１】
図１は、本実施形態を示す情報処理装置を含むネットワークシステムを示すブロック図である。本実施形態では、情報処理装置の例として画像送信機能を備えるＭＦＰを例とするが、ファクシミリ装置、あるいは画像処理装置にファクシミリ送受信機能を備える情報処理装置であってもよい。
図１において、ネットワーク100上には、ＭＦＰ101とＭＦＰ102、メールサーバ103、ＰＣ104がお互いに通信可能に接続されている。公衆回線網105上には、ＭＦＰ101とＦＡＸ106がお互いに通信可能に接続されている。本実施形態では、画像送信装置の一例としてＭＦＰ101、送信先の一例として情報装置ＰＣ104、ＭＦＰ102、ファクシミリ装置ＦＡＸ106を図示している。
【００１２】
ＭＦＰ101は、スキャンした画像データをＭＦＰ102に電子メールとして送信するため、ＭＦＰ102またはＰＣ104のメールアドレスを送信宛先に指定して、メールサーバ103に電子メールを送信する。メールサーバ103は、受信した電子メールをＭＦＰ102またはＰＣ104で受信するための電子メールとしてストレージ（不図示）に設けたメールボックスに格納する。ＭＦＰ102は、メールサーバ103のメールボックスから設定された電子メール受信アカウントを用いてメールサーバ103のメールボックスからＭＦＰ101から送信された電子メールを受信する。また、ＭＦＰ101は、スキャンした画像データをＦＡＸ106の電話番号を送信宛先に指定してＦＡＸ106にファクシミリ送信する。尚、ネットワーク100は、ローカルネットワークとして記述しているが、インターネットとしても良い。
【００１３】
このように、ＭＦＰ101は、送信宛先としてメールアドレスおよびＦＡＸ番号が指定可能なネットワーク構成上に配置されている。しかし、データ送信可能なネットワーク構成なら無線でアクセスポイント（不図示）に接続される構成など、全てのネットワークを有効な通信手段として用いることが可能である。
【００１４】
図２は、図１に示したＭＦＰ101の構成を示すブロック図である。
図２において、ＣＰＵ111を含む制御部110は、ＭＦＰ101全体の動作を制御する。ＣＰＵ111は、ＲＯＭ112又はストレージ114に記憶された制御プログラムを読み出して、読取制御や印刷制御などの各種制御を行う。ＲＯＭ112は、ＣＰＵ111で実行可能な制御プログラムを格納する。また、ＲＯＭ112は、ブートプログラムやフォントデータなども格納する。ＲＡＭ113は、ＣＰＵ111の主記憶メモリであり、ワークエリア、ＲＯＭ112及びストレージ114に格納された各種制御プログラムを展開するための一時記憶領域として用いられる。ストレージ114は、画像データ、印刷データ、各種プログラム、及び各種設定情報を記憶する。本実施形態ではストレージ114としてフラッシュメモリを想定しているが、ＳＳＤやＨＤＤ，ｅＭＭＣなどの補助記憶装置を用いるようにしても良い。なお、ストレージ114は、送信したデータの送信履歴を記憶する第１の記憶領域と、送信したデータの宛先履歴として前記送信先から取得する宛先情報または送信したデータの宛先情報を記憶する第２の記憶領域とを備える。さらに、ストレージ114は、後述するフローチャートの制御により、第２の記憶領域に記憶する宛先情報が前記送信先から取得する宛先情報であるとＣＰＵ111が判断した場合、送信したデータの宛先情報を記憶する第３の記憶領域を備える。
【００１５】
なお、本実施形態のＭＦＰ101は、１つのＣＰＵ111が１つのメモリ（ＲＡＭ113）を用いて後述するフローチャートに示す各処理を実行するものとするが、他の様態であっても構わない。例えば複数のＣＰＵ、ＲＡＭ、ＲＯＭ、及びストレージを協働させて後述するフローチャートに示す各処理を実行することもできる。また、ＡＳＩＣやＦＰＧＡ等のハードウェア回路を用いて一部の処理を実行するようにしてもよい。
操作部Ｉ/Ｆ115は、操作部116と制御部110を接続する。操作部116は、ユーザに対して情報を表示したり、ユーザからの入力を検出したりする。
【００１６】
読取部Ｉ/Ｆ117は、読取部118と制御部110を接続する。読取部118は原稿上の画像を読み取って、その画像をバイナリーデータなどの画像データに変換する。読取部118によって生成された画像データは、外部装置に送信されたり、記録紙上に印刷されたりする。
【００１７】
印刷部Ｉ/Ｆ119は、印刷部120と制御部110を接続する。ＣＰＵ111は、印刷すべき画像データ（印刷対象の画像データ）を印刷部Ｉ/Ｆ119を介して印刷部120に転送する。印刷部120は、給紙カセットから給送された記録紙上に画像を印刷する。
【００１８】
制御部110は、通信部Ｉ/Ｆ123によりネットワーク100に接続される。通信部Ｉ/Ｆ123は、ネットワーク100上の外部装置に画像データや装置内部の各種情報を送信したり、ネットワーク100上の情報処理装置から印刷データやネットワーク100上の各種情報を受信したりする。ネットワークを介した送受信の方法としては、前述した電子メールを用いての送受信や、その他のプロトコル（例えば、ＦＴＰやＳＭＢ、ＷＥＢＤＡＶ等）を用いたファイル送信を行うことができる。さらに、ＷＥＢサーバ機能を備え、ＰＣ102からのＨＴＴＰプロトコルによるアクセスで、受信ジョブ履歴や各種設定データをＰＣ102上で表示させることもできる。
【００１９】
制御部110は、ＦＡＸ部Ｉ/Ｆ121によりＦＡＸ通信部122を制御することで公衆回線網105に接続される。ＦＡＸ部Ｉ/Ｆは、ＦＡＸ通信部122を制御するためのＩ/Ｆで、ファクシミリ通信用のモデム、ＮＣＵを制御することで公衆回線網への接続、ファクシミリ通信プロトコルの制御などを行うことが可能となる。
【００２０】
図３は、図２に示した操作部116を示す外観図である。
図３において、操作部116は、操作画面を表示するタッチパネル301とＬＥＤ310、ＬＥＤ311からなる。タッチパネル301は、タッチパネルとしてユーザからの指示を受け付ける受付手段としても機能する。ユーザは、タッチパネル301上に表示される画面を指やスタイラス等のオブジェクトで直接タッチし、表示された画面に基づく各機能の実行を指示する。
図３に示すタッチパネル301の画面は、ＨＯＭＥ画面308を表示している。ＨＯＭＥ画面308は、ＭＦＰ101の各機能の実行を指示するための最初の画面で、コピー、ファクス、スキャン、メディアプリント、などＭＦＰ101が実行する各機能のための各種設定を行う画面表示を選択するための画面である。
【００２１】
状況確認305は、ＭＦＰ101の状態を確認する画面（状況確認画面）を表示するためのキーである。状況確認画面より送信履歴を表示することが可能となる。尚、ここでキーとして説明しているが、タッチパネルにおけるキーは、表示エリアの区切られた領域をタッチすることで押下されたことを検出することを意味する。
【００２２】
ファクス302は、ＭＦＰ101のファクシミリ送信設定画面（不図示）を表示するキーである。ＭＦＰ101は、ファクシミリ送信画面より、電話番号またはアドレス帳などから宛先を指定して相手先に読取部118で読み込んだ画像データをファクシミリ送信（ファクス）する。
【００２３】
スキャン303は、ＭＦＰ101からスキャン選択画面（不図示）を表示するキーである。スキャン選択画面は、電子メール送信（Ｅメール）、ＳＭＢ，ＦＴＰによるファイル送信、インターネットファクス（Ｉファクス）送信などの送信手段の選択表示を行う。表示された選択表示画面にタッチすることで各送信設定画面を表示する。
アドレス帳304は、ＭＦＰ101のアドレス帳登録画面400を表示するためのキーである。アドレス登録帳画面400については、図４にて説明する。
【００２４】
ＬＥＤ310及びＬＥＤ311はＭＦＰ101の状態をユーザに通知するものである。ＬＥＤ310は、電子メールや印刷ジョブの受信中や実行中に点灯し、ＬＥＤ311はＭＦＰ101に何らかのエラーが発生した際に点灯する。
ストップ306は、各種操作のキャンセルを実行するときに押下するキーで、操作部116では、常時表示される常駐キーである。
ＨＯＭＥ307は、ＨＯＭＥ画面308を表示するために押下するキーで、操作部116では、常時表示される常駐キーである。
【００２５】
図４は、アドレス帳に宛先情報を登録する際に操作部116に表示される操作画面の推移を示す図である。尚、図４のフローにおける操作画面は、ストップ306、ＨＯＭＥ307などの常駐キーの表示を省略して図示している。なお、アドレス帳は、ストレージ114の特定の領域に確保される場合を示すが、ネットワークに接続されるクラウド環境で確保されるメモリ領域に確保されていてもよい。
【００２６】
図４において、アドレス帳登録画面400は、ＨＯＭＥ画面308のアドレス帳304を押下された時に表示される画面の一例である。アドレス帳に登録されている宛先データを一覧にして表示し、さらに画面をドラッグすることで、宛先データをスクロールして表示する。新規登録キー401は、アドレス帳に新規に宛先データを登録するための画面に遷移するキーである。下部の、黒星マーク402、"あ"、"か"、"さ"、"た"のキーを押下することで、アドレス帳の宛先データを宛先名称の先頭文字が"あ"行か、"か"行であるかをフィルタリングして表示する。英字の場合、宛先名称の先頭文字をアルファベットでフィルタリングして表示する。黒星マーク402が押下された時は、全宛先データを表示する。ここで、宛先データにタッチしてチェックボックス404（チェックマークが入る）の選択後、確定キー403を押下することで指定した宛先データを設定した送信画面に遷移する。
【００２７】
宛先の種類画面410は、アドレス帳登録画面400で新規登録キー401をタッチすることで表示する。宛先の種類画面410は、ファクス411、Ｅメール412、Ｉファクス413、グループ414の選択画面である。ファクス411を押下した場合、ファクシミリ送信用の宛先データをアドレス帳に新規に登録するためのファクス新規登録画面430を表示する。
Ｅメール412を押下した場合、電子メール送信用の宛先データをアドレス帳に新規に登録するためのＥメール新規登録画面420を表示する。Ｉファクス413を押下した場合、インターネットファクシミリ送信用の宛先データをアドレス帳に新規に登録するためのＩファクス新規登録画面（不図示）を表示する。グループ414を押下した場合、同報送信をするための同報送信登録画面（不図示）を表示する。尚、戻るキー415は、画面遷移後、前の画面に戻るための表示である。宛先の種類画面410で戻るキー415を押下した場合、全画面のアドレス帳登録画面400に戻る。同様に各画面、420、430、440、450にも戻るキー415を配置し、前画面に戻ることを可能にしている。
【００２８】
Ｅメール新規登録画面420は、宛先の種類422をＥメールとし、名称423、Ｅメールアドレス424を表示して、各キーを押下することで各々の入力画面を表示する。本発明では、このＥメール新規登録画面420の中にＥメールの送信の送信履歴画面440を参照するための送信履歴キー421を表示することで、新規宛先登録中にＥメールの送信履歴の宛先を参照可能とする。
【００２９】
ファクス新規登録画面430は、宛先の種類432をファクスとし、名称433、ファクス番号434を表示して、各キーを押下することで各々の入力画面を表示する。本発明では、このファクス新規登録画面430の中にファクスの送信の送信履歴画面450を参照するための送信履歴キー431を表示することで、新規宛先登録中にファクスの送信履歴画面450の宛先を参照可能とする。
【００３０】
Ｅメールの送信履歴画面440は、新規宛先に設定することを選択し画面をタッチした宛先を送信履歴宛先441のように反転表示し、Ｅメール新規登録画面420のＥメールアドレス424に選択された宛先の電子メールアドレスを設定する。
【００３１】
ファクス送信の送信履歴画面450は、新規宛先に設定することを選択し画面をタッチした宛先を送信履歴宛先451のように反転表示し、ファクス新規登録画面430のファクス番号434に選択された宛先のファクス番号を設定する。
【００３２】
図５は、本実施形態を示す画像送信装置の制御方法を示すフローチャートである。本例は、ファクス送信処理例である。図５に示すフローチャートの各動作（ステップ）は、ＣＰＵ111がＲＯＭ112またはストレージ114に記憶された制御プログラムをＲＡＭ113に読み出して実行する。
Ｓ501にて、ユーザは、操作部116を用いて相手先の電話番号、送信画像の解像度など、ファクス送信に必要なパラメータの設定を行う。Ｓ502にて、ＣＰＵ111は、ファクス送信ジョブを実行する。
【００３３】
Ｓ503にて、ＣＰＵ111は、ファクス送信履歴に残す宛先がＣＳＩであるか判断する。ファクス送信履歴に残す宛先がＣＳＩである（ＹＥＳ）とＣＰＵ111が判断した場合、Ｓ504に遷移し、ＣＳＩでない（ＮＯ）とＣＰＵ111が判断した場合、Ｓ505に遷移する。
Ｓ504にて、ＣＰＵ111は、Ｓ501にて入力された相手先の電話番号をアドレス登録用履歴を保存するメモリ領域に保存する。Ｓ505にて、ＣＰＵ111は、ファクス送信を実行する。Ｓ506にて、ＣＰＵ111は、Ｓ505にて実行したファクス送信の結果を送信履歴を保存するメモリ領域に保存し処理を終了する。
【００３４】
図６は、本実施形態を示す画像送信装置の制御方法を示すフローチャートである。本例は、アドレス帳の新規登録処理例である。なお、図６に示すフローチャートの各動作（ステップ）は、ＣＰＵ111がＲＯＭ112またはストレージ114に記憶された制御プログラムをＲＡＭ113に読み出して実行する。
また、ＣＰＵ111は、操作部116のＨＯＭＥ画面308のアドレス帳304の押下で表示されるアドレス帳登録画面400から新規登録キー401の押下を検知した時、図６に示すフローチャートに対応する制御を実行する。
【００３５】
Ｓ601にて、ＣＰＵ111は、宛先の種類画面410を表示する。Ｓ602にて、ＣＰＵ111は、宛先の種類画面410に表示されるファクス411、Ｅメール412、Ｉファクス413、グループ414の押下を検出したと判断した（ＹＥＳ）場合、Ｓ603に遷移する。宛先のアドレス帳登録画面400で、ファクス411、Ｅメール412、Ｉファクス413、グループ414が押下されてない（ＮＯ）場合、Ｓ601に戻る。
【００３６】
Ｓ603にて、ＣＰＵ111は、タッチパネル301にＳ602で選択された宛先の種類の新規宛先画面を表示する。新規宛先登録制御は、Ｅメール新規登録画面420、ファクス新規登録画面430を表示し、名称、宛先情報の入力を受け付け、一時的にデータを保持する。
【００３７】
Ｓ604にて、ＣＰＵ111は、新規登録画面の送信履歴キー421または送信履歴キー431の入力を検知したかを判定し、検知したと判断した（ＹＥＳ）の場合、Ｓ605に遷移し、検知していないと判断した（ＮＯ）場合、Ｓ608に遷移する。
Ｓ605にて、ＣＰＵ111は、Ｓ602にて指定した宛先の種類送信手段の送信履歴選択制御を実行する。送信履歴選択制御のフローは、図７にて説明する。Ｓ606にて、ＣＰＵ111は、送信履歴の宛先履歴が選択されたと判断した（ＹＥＳ）の場合、Ｓ607に遷移し、選択されていないと判断した（ＮＯ）場合、Ｓ605に戻る。
Ｓ607にて、ＣＰＵ111は、Ｓ606にて選択された送信履歴の宛先を新規宛先の宛先として設定する。Ｓ608にて、ＣＰＵ111は、宛先が入力済みかを判定し、入力済み（ＹＥＳ）であると判断した場合、
Ｓ609に遷移し、未入力（ＮＯ）であるとＣＰＵ111が判断した場合Ｓ603に戻る。
【００３８】
Ｓ609にて、ＣＰＵ111は、新規宛先登録画面に設定された宛先情報を確定425，435の押下により判定し、押下された（ＹＥＳ）と判断した場合、Ｓ610に遷移し、押下されていない（ＮＯ）と判断した場合、Ｓ603に遷移する。Ｓ610にて、ＣＰＵ111は、新規宛先登録画面に設定されている新規宛先情報をアドレス帳に設定し、ストレージ114に保存する。
【００３９】
図７は、本実施形態を示す画像送信装置の制御方法を示すフローチャートである。本例は、図６のＳ605宛先履歴選択制御例である。なお、図７に示すフローチャートの各動作（ステップ）は、ＣＰＵ111がＲＯＭ112またはストレージ114に記憶された制御プログラムをＲＡＭ113に読み出して実行する。
【００４０】
Ｓ701にて、ＣＰＵ111は、Ｓ602で選択された宛先の種類がファクスであるかを判定する。ファクスである（ＹＥＳ）とＣＰＵ111が判断した場合、Ｓ702に遷移し、ファクスで無い（ＮＯ）とＣＰＵ111が判断した場合Ｓ704に遷移する。
Ｓ702にて、ＣＰＵ111は、送信履歴に残す宛先はＣＳＩであるか確認する。ファクス送信履歴に残す宛先がＣＳＩである（ＹＥＳ）とＣＰＵ111が判断した場合、Ｓ703に遷移し、ＣＳＩでない（ＮＯ）とＣＰＵ111が判断した場合、Ｓ704に遷移する。
Ｓ703にて、ＣＰＵ111は、Ｓ504で保存したアドレス帳登録用履歴データ910（図９参照）をストレージ114から読み出し、ＲＡＭ113のワークバッファに保存する。Ｓ704にて、ＣＰＵ111は、Ｓ602で選択された宛先の種類の宛先履歴データをストレージ114から読み出し、ＲＡＭ113のワークバッファに保存する。Ｓ705にて、ＣＰＵ111は、Ｓ703もしくはＳ704のワークバッファから後述する宛先履歴データ900を最新データから順に操作部１１６に表示する。
【００４１】
Ｓ706にて、ＣＰＵ111は、送信履歴画面450に表示されている宛先履歴のいずれかがタッチされたかを判定する。そして、タッチされた（ＹＥＳ）とＣＰＵ111が判断した場合、Ｓ707に遷移し、タッチされていない（ＮＯ）とＣＰＵ111が判断した場合、Ｓ705に戻る。
Ｓ707にて、ＣＰＵ111は、宛先履歴が選択されたことを画面441、451のように反転表示して、ユーザが認識できるように操作部１１６に表示する。Ｓ708にて、ＣＰＵ111は、送信履歴画面440の戻る415のタッチを検出した（ＹＥＳ）の場合、Ｓ709に遷移し、検出しない（ＮＯ）の場合、宛先履歴選択表示Ｓ707に戻る。
【００４２】
Ｓ709にて、ＣＰＵ111は、前画面のＥメール新規登録画面420またはファクス新規登録画面430に、Ｓ707にて選択された宛先履歴データをＥメールアドレス424またはファクス番号434にセットする。
本実施形態によれば、登録された送信履歴から選択されるＥメールアドレス424または先に実行されたファクシミリ送信の再相手先から受信したＣＳＩであるファクス番号434を利用して、送信先を決定することができる。
〔第２実施形態〕
図８は、本実施形態を示す画像送信装置の制御方法を示すフローチャートである。本例は、図６のＳ605における他の宛先履歴選択制御例である。なお、図７に示すフローチャートの各動作（ステップ）は、ＣＰＵ111がＲＯＭ112またはストレージ114に記憶された制御プログラムをＲＡＭ113に読み出して実行する。
図９は、図２に示したストレージ114に保存される宛先履歴データを示す図である。なお、ファクス送信履歴に残す宛先がＣＳＩであるかどうかを示すフラグは、ユーザがモード設定画面から指示することで、ストレージ114に格納されている。また、ＣＳＩであるかどうかを示すフラグが１の場合、ファクス送信履歴に残す宛先がＣＳＩが有効とする。したがって、後述するファクス送信履歴に残す宛先がＣＳＩであるかは、ＣＰＵ111がＣＳＩであるかどうかを示すフラグが１であるかどうかにより判断するものとする。
【００４３】
Ｓ801にて、ＣＰＵ111は、Ｓ602で選択された宛先の種類の宛先履歴データをストレージ114から読み出し、ＲＡＭ113のワークバッファに保存する。Ｓ802にて、ＣＰＵ111は、Ｓ602で選択された宛先の種類がファクスであるかを判定する。ファクスである（ＹＥＳ）とＣＰＵ111が判断した場合、Ｓ803に遷移し、ファクスで無い（ＮＯ）とＣＰＵ111が判断した場合Ｓ806に遷移する。
【００４４】
Ｓ803にて、ＣＰＵ111は、送信履歴に残す宛先はＣＳＩであるか確認する。ファクス送信履歴に残す宛先がＣＳＩである（ＹＥＳ）とＣＰＵ111が判断した場合、Ｓ804に遷移し、ＣＳＩでない（ＮＯ）とＣＰＵ111が判断した場合、Ｓ806に遷移する。
Ｓ804にて、ＣＰＵ111は、Ｓ504で保存したアドレス帳登録用履歴データをストレージ114から読み出し、ＲＡＭ113のワークバッファに保存する。Ｓ805にて、ＣＰＵ111は、Ｓ801で取得した宛先履歴データとＳ804で取得したアドレス帳登録用履歴データとを合わせた宛先履歴データを作成し、ＲＡＭ113のワークバッファに保存する。
【００４５】
例えば、図９に示すように、宛先履歴データ900とアドレス帳登録用履歴データ910から表示用データ920を作成する。この際、宛先履歴データ900とアドレス帳登録用履歴データ910で重複している宛先データ901と宛先データ902は宛先データ921の1つのみ表示する。
これにより、宛先履歴データ900とアドレス帳登録用履歴データ910から表示用データ920を作成する。このため、ユーザが登録した履歴データと、相手先から受信するＣＳＩとの組み合わせから、送信先を選択する画面を表示することができる。
【００４６】
〔第３実施形態〕
本実施形態では、操作部116に表示される送信履歴画面から、ユーザが選択する送信先データをストレージ114に確保されるアドレス帳に登録する場合の制御を説明する。
図１０は、図２に示した操作部116に表示されるアドレス帳登録に関する操作画面表示制御例を示す図ある。
図１０において、送信履歴画面1000は、状況確認画面から遷移可能な送信履歴画面の一例である。送信した履歴データを一覧にして操作部116に表示し、さらに画面をドラッグすることで、履歴データをスクロールして表示する。また、ユーザがタッチした履歴を履歴1001のように反転表示し詳細情報画面1010に遷移する。
【００４７】
詳細情報画面1010は、「送信結果」、「開始時刻」、「通信時間」、「宛先」など送信履歴の詳細情報を表示する。アドレス帳登録キー1011を指示することで、表示画面は、表示している詳細情報の宛先を反映したファクス新規登録画面1020に遷移する。
【００４８】
図１１は、本実施形態を示す画像送信装置の制御方法を示すフローチャートである。本例は、送信履歴画面1000からアドレス帳登録制御例である。なお、図７に示すフローチャートの各動作（ステップ）は、ＣＰＵ111がＲＯＭ112またはストレージ114に記憶された制御プログラムをＲＡＭ113に読み出して実行する。
図１2は、図２に示した操作部116に表示されるＵＩ画面を示す図である。本例は、アドレス登録選択画面である。
【００４９】
Ｓ1101にて、ＣＰＵ111は、送信履歴画面1000を操作部116に表示する。Ｓ1102にて、ＣＰＵ111は、送信履歴画面1000に表示されている履歴のいずれかがタッチされたかを判定する。そして、タッチされた（ＹＥＳ）とＣＰＵ111が判断した場合、Ｓ1103に遷移し、タッチされていない（ＮＯ）とＣＰＵ111が判断した場合、Ｓ1101に戻る。Ｓ1103にて、ＣＰＵ111は、詳細情報画面1010を表示する。
【００５０】
Ｓ1104にて、ＣＰＵ111は、送信履歴に残す宛先はＣＳＩであるか確認する。ファクス送信履歴に残す宛先がＣＳＩである（ＹＥＳ）と判断した場合、Ｓ1105に遷移し、ＣＳＩでない（ＮＯ）とＣＰＵ111が判断した場合、Ｓ1108に遷移する。なお、ＣＳＩであるか確認する処理は、上記フラグが１であるか否かで判断するものとする。
【００５１】
Ｓ1105にて、ＣＰＵ111は、アドレス帳登録キー1011がタッチされたか判定し、タッチされた（ＹＥＳ）場合、Ｓ1106に遷移し、タッチされていない（ＮＯ）場合、Ｓ1103に戻る。Ｓ1106にて、ＣＰＵ111は、図１２に示すアドレス登録選択画面1200を表示する。
【００５２】
Ｓ1107にて、ＣＰＵ111は、アドレス登録選択画面1200のはいキー1201がタッチされたと検出された（ＹＥＳ）と判断した場合、Ｓ1108に遷移し、いいえキー1202がタッチされたと検出された（ＮＯ）と判断した場合、Ｓ1103に戻る。
Ｓ1108にて、ＣＰＵ111は、Ｓ1102にて選択された送信履歴の宛先を新規宛先の宛先として確定する。Ｓ1109にて、ＣＰＵ111は、確定キー1021がタッチされると新規宛先登録画面に設定されている新規宛先情報をアドレス帳に設定し、ストレージ114に保存する。
以上、本発明について実施の形態に基づいて説明したが、本発明は、これらの実施の形態に限定されるものではなく、この発明の要旨を逸脱しない範囲の様々な形態も本発明に含まれる。
【００５３】
また、上記実施形態においては、登録選択画面を操作部116に表示し、アドレス帳にＣＳＩを登録させない手段をユーザに提供した。しかしながら、アドレス帳への登録を防げれば他の方法を用いても良い。例えば、送信履歴の宛先がＣＳＩの場合、アドレス帳登録の選択を不可（グレーアウト）にするなどしても良い。
【００５４】
本発明は、上述の実施形態の１以上の機能を実現するプログラムを、ネットワーク又は記憶媒体を介してシステムまたは装置に供給する。そして、そのシステム又は装置のコンピュータにおける１つ以上のプロセッサがプログラムを読み出し実行する処理でも実現可能である。また、１以上の機能を実現する回路（例えばＡＳＩＣ）によっても実現可能である。
【符号の説明】
【００５５】
111  ＣＰＵ
【図１】
2018011174.tif 000003
【図２】
2018011174.tif 000004
【図３】
2018011174.tif 000005
【図４】
2018011174.tif 000006
【図５】
2018011174.tif 000007
【図６】
2018011174.tif 000008
【図７】
2018011174.tif 000009
【図８】
2018011174.tif 000010
【図９】
2018011174.tif 000011
【図１０】
2018011174.tif 000012
【図１１】
2018011174.tif 000013
【図１２】
2018011174.tif 000014